(57)【特許請求の範囲】
【請求項１】
無端状に連結された複数のステップを支持するトラスと、上記ステップの両側で上記トラス上に立設されている複数の欄干パネルと、上記欄干パネルの下端部外側に設けられているとともに、幅方向の端部が上記トラスの幅方向外側へ張り出している外側デッキボードと、上記トラスに固定されているとともに上記外側デッキボードの端部内面に当接しており、外力による上記外側デッキボードの変形を防止する変形防止部材とを備え、上記変形防止部材の下端部には傾斜面が設けられており、上記傾斜面は、上記外側デッキボードの端部よりも幅方向内側に位置するとともに上記トラスよりも幅方向外側に位置し、上記変形防止部材の下側から当接した物体を上記トラスの幅方向外側へ導くことを特徴とするマンコンベアの欄干装置。
【請求項２】
上記トラスには、水平方向への取付位置を調整可能な調整部材が取り付けられており、上記変形防止部材は上記調整部材に固定されていることを特徴とする請求項１記載のマンコンベアの欄干装置。
【発明の詳細な説明】
【０００１】
【発明の属する技術分野】
この発明は、エスカレーターや動く歩道などのマンコンベアの欄干装置に関するものである。
【０００２】
【従来の技術】
図６は特開平７−１８７５５６号公報に示された従来のマンコンベアの設置状態を示す側面図である。図において、１〜６は１〜２階間、２〜３階間及び３〜４階間にそれぞれ２機ずつ設置されているマンコンベアである。
【０００３】
図７は図６の２〜３階間のマンコンベア３，４を示す平面図、図８は図６のＶＩＩＩ−ＶＩＩＩ線に沿う断面図であり、他のマンコンベア１，２，５，６も同様の構造を有している。図において、７は主枠を構成するトラス、８はトラス７に支持されているとともに、無端状に連結されて循環移動する複数のステップ、９はステップ８の両側でトラス７上に立設されているガラスパネル製の欄干パネル、１０は欄干パネル９の上端部に固定されている欄干フレーム、１１は欄干フレーム１０に沿って移動する移動手摺である。
【０００４】
１２は欄干パネル９の下端部外側に設けられている金属薄板製の複数の外側デッキボードであり、これらの外側デッキボード１２の幅方向の端部は、図９にも示すように、トラス７よりも幅方向（図の左右方向）外側へ張り出している。１３は欄干パネル９の下端部内側に設けられている複数の内側デッキボード、１４は内側デッキボード１３の下部に設けられ、ステップ８の側面に対向している複数のスカートパネル、１５は外側デッキボード１２の裏面に固定されている複数の補強部材である。
【０００５】
１６は欄干パネル９、欄干フレーム１０、移動手摺１１、外側デッキボード１２、内側デッキボード１３、スカートパネル１４及び補強部材１５を有する欄干装置である。なお、トラス７の内側の構造の図示は省略する。
【０００６】
上記のようなマンコンベア３，４を設置する方式としては、大きく分けて２通りの方式がある。即ち、建築現地にトラス７を先に据え付けた後、建築現地にて部品を組み立てる方式と、製作工場にてマンコンベア３，４を完成させた後、それらの完成品を建築現地に輸送して据え付ける方式とである。
【０００７】
これらのうち、前者の建築現地にて組み立てる方式は、建物の建設と同時に作業を行うため、作業現場が暗く埃が多いなど、作業環境が悪く、マンコンベア３，４の振動や騒音に対する性能を確保するためには格段の努力が必要となる。これに対し、後者の製作工場で組み立てる方式は、作業環境が良く、マンコンベア３，４の性能確保が容易であることから、最近では後者の方式が多く採用される傾向にある。
【０００８】
後者の方式でマンコンベア３，４を設置する場合、まず製作工場で組み立てた２機の完成品を現地へ輸送する。この後、例えばマンコンベア３をクレーン、チェーンブロック等（図示せず）を用いて持ち上げて据付位置に据え付ける。この後、図１０に示すように、やはりクレーン、チェーンブロック等を用いて残りのマンコンベア４を持ち上げ、据付位置に据え付ける。
【０００９】
【発明が解決しようとする課題】
上記のように構成された従来のマンコンベア３，４においては、外側デッキボード１２の幅方向の端部がトラス７よりも幅方向外側へ張り出しているため、図１０のように一方のマンコンベア３を据え付けた後に他方のマンコンベア４を持ち上げた際、例えば図１１のように隣接する外側デッキボード１２相互が衝突し、図１２に示すように外側デッキボード１２が変形したり破損したりすることがあった。また、このような不具合が生じた場合には、外側デッキボード１２を現地で取り換える必要があり、製作費が増加するとともに据付作業の効率が低下するなどの問題点があった。
【００１０】
この発明は、上記のような問題点を解決することを課題としてなされたものであり、外側デッキボードの外力による変形を防止することができるマンコンベアの欄干装置を得ることを目的とする。
【００１１】
【課題を解決するための手段】
この発明に係るマンコンベアの欄干装置は、無端状に連結された複数のステップを支持するトラスと、ステップの両側でトラス上に立設されている複数の欄干パネルと、欄干パネルの下端部外側に設けられているとともに、幅方向の端部がトラスの幅方向外側へ張り出している外側デッキボードと、トラスに固定されているとともに外側デッキボードの端部内面に当接しており、外力による外側デッキボードの変形を防止する変形防止部材とを備え、変形防止部材の下端部には、傾斜面が設けられているとともに、外側デッキボードの端部の幅方向内側に傾斜面が位置し、傾斜面の幅方向内側にトラスが位置し、傾斜面は、変形防止部材の下側から当接した物体をトラスの幅方向外側へと導くことを特徴とするマンコンベアの欄干装置。
また、トラスには、水平方向への取付位置を調整可能な調整部材が取り付けられており、変形防止部材は調整部材に固定されている。
【００１７】
【発明の実施の形態】
以下、この発明の実施の形態を図について説明する。
実施の形態１．
図１はこの発明の実施の形態１によるマンコンベアの欄干装置の要部断面図である。図において、３，４は隣接する２機のマンコンベア、７は主枠を構成するトラス、１２は欄干パネル９（図８）の下端部外側に設けられている金属薄板製の複数の外側デッキボードであり、これらの外側デッキボード１２の幅方向の端部は、トラス７よりも幅方向（図の左右方向）外側へ張り出している。１５は外側デッキボード１２の裏面に固定されている複数の補強部材である。
【００１８】
２１は固定ねじ２２によりトラス７に固定され、外力による外側デッキボード１２の変形を防止する変形防止部材であり、この変形防止部材２１の上端部は、外側デッキボード１２の端部内面（裏面）１２ａに当接している。また、変形防止部材２１の表面２１ａは、外側デッキボード１２の端面１２ｂと面一になっている。さらに、固定ねじ２２の頭部は、変形防止部材２１の表面２１ａよりもトラス７の側面側に引っ込んでいる。図２は図１の変形防止部材２１を示す斜視図である。なお、マンコンベア３，４及び欄干装置の全体的な構成は、図７及び図８と同様である。
【００１９】
このような欄干装置では、変形防止部材２１が設けられているため、マンコンベア３，４を並設する際に隣接する外側デッキボード１２相互が衝突するのが防止される。また、先に設置したマンコンベア３の一部にマンコンベア４の外側デッキボード１２が衝突したとしても、外側デッキボード１２の端面内面１２ａには変形防止部材２１が当接しているため、外側デッキボード１２の変形が防止される。従って、現地での外側デッキボード１２の交換が不要となり、製作費の増加や据付作業の効率低下が防止される。
【００２０】
実施の形態２．
次に、図３はこの発明の実施の形態２によるマンコンベアの欄干装置の要部断面図である。この例では、変形防止部材２１の下端部に、当接した物体をトラス７の幅方向外側へ導く傾斜面２１ｂを設けたものである。他の構成は、実施の形態１と同様である。
【００２１】
このように、変形防止部材２１に傾斜面２１ｂを設けることにより、隣接する外側デッキボード１２の端部が変形防止部材２１の下端部に当たった際に、外側デッキボード１２を傾斜面２１ｂに沿ってスムーズに移動させることができ、外側デッキボード１２の変形をより確実に防止することができる。
【００２２】
実施の形態３．
次に、図４はこの発明の実施の形態３によるマンコンベアの欄干装置の要部断面図である。図において、２３は固定ねじ２４によりトラス７に取り付けられている断面Ｌ字状の調整部材であり、この調整部材２３には、実施の形態２と同様の変形防止部材２１が固定ねじ２２を介して取り付けられている。また、調整部材２３には、図５にも示すように、固定ねじ２４が貫通する長穴２３ａが設けられており、これにより調整部材２３のトラス７に対する水平方向への取付位置が調整可能になっている。２５はトラス７の上面と調整部材２３との間に介在されているスペーサであり、このスペーサ２５の枚数又は厚さを選択することにより調整部材２３の高さ方向の位置が調整されている。
【００２３】
ここで、外側デッキボード１２の取付位置、即ちトラス７から外側デッキボード１２の端面１２ｂまでの水平方向の寸法Ａ及び高さ寸法Ｂは、一定値ではなく、マンコンベアによって異なる。これに対し、実施の形態３では、水平方向への位置調整が可能な調整部材２３を介して変形防止部材２１が取り付けられているため、外側デッキボード１２の水平方向の取付位置が異なる場合にも、変形防止部材２１を外側デッキボード１２の端部内面１２ａに当接させることができる。また、調整部材２３とトラス７との間にはスペーサ２５を介在させることができるため、外側デッキボード１２の高さ方向の取付位置の変化にも容易に対応することができる。
【００２４】
なお、実施の形態１〜３では短尺形状の変形防止部材２１を示したが、このような短尺形状の変形防止部材２１を外側デッキボード１２の要所に間隔をおいて設けても、また長尺形状の変形防止部材を外側デッキボード１２の全長に沿って設けてもよい。
【００２５】
【発明の効果】
以上説明したように、この発明のマンコンベアの欄干装置は、外側デッキボードの端部内面に当接して外力による外側デッキボードの変形を防止する変形防止部材をトラスに対して固定したので、先に設置したマンコンベアの一部に後で設置するマンコンベアの外側デッキボードが衝突したとしても、外側デッキボードの変形が防止され、現地での外側デッキボードの交換が不要となり、製作費の増加や据付作業の効率低下を防止することができる。
また、変形防止部材の下端部に、当接した物体をトラスの幅方向外側へ導く傾斜面を設けたので、隣接する外側デッキボードの端部が変形防止部材の下端部に当たった際に、外側デッキボードを傾斜面に沿ってスムーズに移動させることができ、外側デッキボードの変形をより確実に防止することができる。
【００３０】
また、この発明のマンコンベアの欄干装置は、水平方向への取付位置を調整可能な調整部材をトラスに取り付け、この調整部材に変形防止部材を固定したので、外側デッキボードの水平方向への取付位置の変化に容易に対応することができる。
【図面の簡単な説明】
【図１】  この発明の実施の形態１によるマンコンベアの欄干装置の要部断面図である。
【図２】  図１の変形防止部材を示す斜視図である。
【図３】  この発明の実施の形態２によるマンコンベアの欄干装置の要部断面図である。
【図４】  この発明の実施の形態３によるマンコンベアの欄干装置の要部断面図である。
【図５】  図４の調整部材を示す斜視図である。
【図６】  従来のマンコンベアの設置状態の一例を示す側面図である。
【図７】  図６の２〜３階間のマンコンベアを示す平面図である。
【図８】  図６のＶＩＩＩ−ＶＩＩＩ線に沿う断面図である。
【図９】  図８のＩＸ部を拡大して示す断面図である。
【図１０】  図７のマンコンベアの据付途中の状態を示す説明図である。
【図１１】  図１０の隣接する外側デッキボード相互が衝突した状態を示す説明図である。
【図１２】  図１１の外側デッキボードが変形した状態を示す説明図である。
【符号の説明】
７  トラス、８  ステップ、９  欄干パネル、１２  外側デッキボード、１２ａ  端部内面、２１  変形防止部材、２１ａ  表面、２２  固定ねじ、２３  調整部材、２５  スペーサ。
【図１】
0003771715.tif 000002
【図２】
0003771715.tif 000003
【図３】
0003771715.tif 000004
【図４】
0003771715.tif 000005
【図５】
0003771715.tif 000006
【図６】
0003771715.tif 000007
【図７】
0003771715.tif 000008
【図８】
0003771715.tif 000009
【図９】
0003771715.tif 000010
【図１０】
0003771715.tif 000011
【図１１】
0003771715.tif 000012
【図１２】
0003771715.tif 000013